(57)【要約】【課題】本発明は、各ＣＡＴＶ放送局を共通のデータ伝送用帯域で接続することにより、簡単に多くの加入者とデータ伝送を行うことを目的とする。【解決手段】本発明によるＣＡＴＶデータ伝送サービスの帯域共有によるエリア統合方法は、インターネット（２）に接続された広域データ伝送管理センター（１）に共通のデータ伝送用帯域（１０、１６）を介して各ＣＡＴＶ放送局（１１）を共通接続し、少ない設備投資で多くのＣＡＴＶ放送局（１１）を一元化する方法である。【選択図】        図１
2005057317.tif 000002
【特許請求の範囲】
【請求項１】
インターネット（２）に接続された共通の広域データ伝送管理センター（１）の変調器（６）に上り用データ伝送用帯域（１０）が接続され、前記上り用データ伝送用帯域（１０）に各々ＣＡＴＶ加入者（１４）が接続された複数のＣＡＴＶ放送局（１１）が接続され、前記各ＣＡＴＶ放送局（１１）の周波数多重化装置（１２）を介して前記各ＣＡＴＶ加入者（１４）にデータの送信が行われ、前記各ＣＡＴＶ放送局（１１）は下り用データ伝送用帯域（１６）を介して前記広域データ伝送管理センター（１）の復調器（７）に接続され、複数の前記各ＣＡＴＶ放送局（１１）が共通の前記広域データ伝送管理センター（１）に接続されていることを特徴とするＣＡＴＶデータ伝送サービスの帯域共有によるエリア統合方法。
【請求項２】
前記変調器（６）及び復調器（７）は、前記広域データ伝送管理センター（１）内のネットワーク終端装置（４）及びビデオオンデマンドサーバ（５）に接続されていることを特徴とする請求項１記載のＣＡＴＶデータ伝送サービスの帯域共有によるエリア統合方法。
【発明の詳細な説明】
【０００１】
【発明の属する技術分野】
本発明は、ＣＡＴＶデータ伝送サービスの帯域共有によるエリア統合方法に関し、特に、インターネットに接続された共通の広域データ伝送管理センターに対して、共通のデータ伝送用帯域を介して複数のＣＡＴＶ放送局を接続し、複数のＣＡＴＶ放送局間によるデータサービスの広域化により、広範囲なエリアでの専用網（専用ネットワーク）を構築することを可能とするための新規な改良に関する。
【０００２】
【従来の技術】
従来、用いられていたこの種のＣＡＴＶ放送の帯域は、各ＣＡＴＶ放送局で独立して管理され、データ伝送装置も各ＣＡＴＶ放送局にて各々管理されていた。
【０００３】
【発明が解決しようとする課題】
従来のＣＡＴＶ放送の帯域は、ＣＡＴＶ放送局で独立して管理されていたため、広いエリアに同じデータを流して放送しようとすると、多数の放送局を設置し、各々を管理する必要があるため、その管理システムの運用には多大の時間と費用を要し、その運営は容易ではなかった。
【０００４】
本発明は、以上のような課題を解決するためになされたもので、特に、インターネットに接続された共通の広域データ伝送管理センターに対して、共通のデータ伝送用帯域を介して複数のＣＡＴＶ放送局を接続し、複数のＣＡＴＶ放送局間によるデータサービスの広域化により、広範囲なイリアでの専用網を構築することを可能とするようにしたＣＡＴＶデータ伝送サービスの帯域共有によるエリア統合方法を提供することを目的とする。
【０００５】
【課題を解決するための手段】
本発明によるＣＡＴＶデータ伝送サービスの帯域共有によるエリア統合方法は、インターネットに接続された共通の広域データ伝送管理センターの変調器に上り用データ伝送用帯域が接続され、前記上り用データ伝送用帯域に各々ＣＡＴＶ加入者が接続された複数のＣＡＴＶ放送局が接続され、前記各ＣＡＴＶ放送局の周波数多重化装置を介して前記各ＣＡＴＶ加入者にデータの送信が行われ、前記各ＣＡＴＶ放送局は下り用データ伝送用帯域を介して前記広域データ伝送管理センターの復調器に接続され、複数の前記各ＣＡＴＶ放送局が共通の前記広域データ伝送管理センターに接続されている方法であり、また、前記変調器及び復調器は、前記広域データ伝送管理センター内のネットワーク終端装置及びビデオオンデマンドサーバに接続されている方法である。
【０００６】
【発明の実施の形態】
以下、図面と共に本発明によるＣＡＴＶデータ伝送サービスの帯域共有によるエリア統合方法の好適な実施の形態について説明する。
図１において、符号１で示されるものはインターネット２に対してワイドエリアネットワーク３を介して接続された共通の広域データ伝送管理センターであり、この広域データ伝送管理センター１は、ネットワーク終端装置４、ビデオオンデマンドサーバ５、変調器６及び復調器７によって構成されている。
【０００７】
前記変調器６及び復調器７は、前記ネットワーク終端装置４及びビデオオンデマンドサーバ５の何れにも接続できるように構成されている。
前記変調器６は、上り用データ伝送用帯域１０を介して複数のＣＡＴＶ放送局１１の各周波数多重化装置１２に接続されており、各周波数多重化装置１２からの番組は送信機１３を介してＣＡＴＶ加入者１４に送信されるように構成されている。
【０００８】
前記各ＣＡＴＶ加入者１４からの通信内容は、各ＣＡＴＶ放送局１１の各受信機１５で受信された後、下り用データ伝送用帯域１６を介して前記復調器７に送られるように構成されている。
【０００９】
前記インターネット２に接続された前記広域データ伝送管理センター１は、共通化された前記上り用データ伝送用帯域１０及び下り用データ伝送用帯域１６に接続されていることにより、その帯域のみを抜き出す形で各ＣＡＴＶ放送局１１のデータ伝送を従来よりも大幅に広域化することができる。
【００１０】
また、前記インターネット２に対して、共通化された各データ伝送用帯域１０、１６を介して各ＣＡＴＶ放送局１１及びＣＡＴＶ加入者１４が接続されているため、インターネット２からのデータを各ＣＡＴＶ加入者１４に送ると共に、各ＣＡＴＶ加入者１４からインターネット２へのデータのアクセスが可能となる。
前述の場合、ＣＡＴＶ放送局１１が共通化されているため、このＣＡＴＶ放送局１１の数を多くすることにより、多数のＣＡＴＶ加入者１４に対してインターネット２上でのデータのやりとり、あるいは一方的データの配置を容易に行うことができる。
【００１１】
【発明の効果】
本発明によるＣＡＴＶデータ伝送サービスの帯域共有によるエリア統合方法は、以上のように構成されているため、次のような効果を得ることができる。
すなわち、多数のＣＡＴＶ放送局が、インターネットに接続されたデータ伝送用の帯域を共通化し、その帯域のみを抜き出す形でＣＡＴＶ加入者にデータの伝送及びデータの戻しを行うための広域なデータ伝送システムを構築することができる。
また、多数のＣＡＴＶ放送局が共通の広域データ伝送管理センターを介して共通化されているため、従来のように、各社が独自にデータ伝送システムを作るよりもはるかに設備投資額を抑えることができ、また、デジタル放送用のヘッドエンドやビデオオンデマンド等の共有を行うことが可能となる。
【図面の簡単な説明】
【図１】本発明によるＣＡＴＶデータ伝送サービスの帯域共有によるエリア統合方法を示すブロック図である。
【符号の説明】
１    広域データ伝送管理センター
２    インターネット
４    ネットワーク終端装置
５    ビデオオンデマンドサーバ
６    変調器
７    復調器
１０    上り用データ伝送用帯域
１１    ＣＡＴＶ放送局
１２    周波数多重化装置
１３    送信機
１４    ＣＡＴＶ加入者
１５    受信機
１６    下り用データ伝送用帯域
【図１】
2005057317.tif 000003